(57)【要約】【課題】  ユーザが端末装置の側にいないときには端末装置がログイン状態で放置されないようにするとともに、第三者が正規ユーザになりすまして端末装置を利用することを防止する。【解決手段】  ロック処理部１５ｂは、携帯電子機器２と接続している状態から携帯電子機器２と接続していない状態へ切り替わった場合に、入力受付状態を無効状態へ自動的に切り替え、携帯電子機器２と接続していない状態から携帯電子機器２と接続している状態へ切り替わった場合に、パスワードを取得するためにのみ入力受付状態を無効状態から有効状態に一時的に切り替え、ユーザインタフェースから入力されたパスワードが所定のユーザのものである場合のみ、入力受付状態を無効状態から有効状態へ切り替える。【選択図】  図１
2009230161.tif 000002
【特許請求の範囲】
【請求項１】
１または複数の端末装置と、１または複数の携帯電子機器とを備える情報処理システムにおいて、
前記携帯電子機器は、前記端末装置との間で無線通信が可能なエリアに入った場合に自動的に無線で前記端末装置と接続する無線インタフェースを備え、
前記端末装置は、
ユーザインタフェースと、
前記ユーザインタフェースにおける入力の受付状態を無効状態および有効状態の一方から他方へ切り替えるロック処理部と、
前記携帯電子機器との間で無線通信が可能なエリアに入った場合に自動的に無線で前記携帯電子機器と接続する無線インタフェースと、
前記無線インタフェースにより前記携帯電子機器と接続しているか否かを判定する監視処理部とを備え、
前記ロック処理部は、前記携帯電子機器と接続している状態から前記携帯電子機器と接続していない状態へ切り替わった場合に、前記受付状態を無効状態へ自動的に切り替え、前記携帯電子機器と接続していない状態から前記携帯電子機器と接続している状態へ切り替わった場合に、ユーザ固有情報を取得するためにのみ前記受付状態を無効状態から有効状態に一時的に切り替え、前記ユーザインタフェースから入力されたユーザ固有情報が所定のユーザのものである場合のみ、前記受付状態を無効状態から有効状態へ切り替えること、
を特徴とする情報処理システム。
【請求項２】
前記端末装置は、前記携帯電子機器固有の識別情報を含む機器情報を格納するデータ格納部を備え、
前記ロック処理部は、前記携帯電子機器と接続していない状態から前記携帯電子機器と接続している状態へ切り替わった際に、前記携帯電子機器からその携帯電子機器固有の識別情報を読み出し、読み出した前記識別情報と前記機器情報におけるいずれかの識別情報とが一致する場合のみ、ユーザ固有情報を取得するためにのみ前記受付状態を無効状態から有効状態に一時的に切り替え、前記ユーザインタフェースから入力されたユーザ固有情報が所定のユーザのものである場合のみ、前記受付状態を無効状態から有効状態へ切り替えること、
を特徴とする請求項１記載の情報処理システム。
【請求項３】
前記端末装置は、前記受付状態を無効状態から有効状態へ切り替えた後、前記携帯電子機器固有の識別情報を更新し、前記携帯電子機器に書き込む識別情報更新部を備えることを特徴とする請求項２記載の情報処理システム。
【請求項４】
前記ロック処理部は、前記携帯電子機器と接続している状態において、または前記携帯電子機器と接続している状態から前記携帯電子機器と接続していない状態へ切り替わったときに、その携帯電子機器の識別情報を保存し、次に前記携帯電子機器と接続していない状態から前記携帯電子機器と接続している状態へ切り替わった際に、前記携帯電子機器からその携帯電子機器固有の識別情報を読み出し、読み出した前記識別情報と保存している前記機器情報とが一致する場合のみ、ユーザ固有情報を取得するためにのみ前記受付状態を無効状態から有効状態に一時的に切り替え、前記ユーザインタフェースから入力されたユーザ固有情報が所定のユーザのものである場合のみ、前記受付状態を無効状態から有効状態へ切り替えることを特徴とする請求項２記載の情報処理システム。
【請求項５】
前記ロック処理部は、前記携帯電子機器と接続していない状態から前記携帯電子機器と接続している状態へ切り替わった場合に、接続した前記携帯電子機器の識別情報を特定し、ユーザ固有情報を取得するためにのみ前記受付状態を無効状態から有効状態に一時的に切り替え、前記ユーザインタフェースから入力されたユーザ固有情報が、特定した前記携帯電子機器の識別情報に関連付けられているユーザ固有情報に一致する場合にのみ、前記受付状態を無効状態から有効状態へ切り替えること、
を特徴とする請求項１記載の情報処理システム。
【請求項６】
前記携帯電子機器は、前記複数の端末装置の識別情報を格納するデータ格納装置と、前記複数の端末装置の識別情報から１つの前記端末装置の識別情報を選択する選択処理部とを備え、
前記携帯電子機器の無線インタフェースは、前記選択された識別情報を有する前記端末装置と無線で接続すること、
を特徴とする請求項１記載の情報処理システム。
【請求項７】
前記携帯電子機器の無線インタフェースおよび前記端末装置の無線インタフェースは、ブルートゥース（商標）であることを特徴とする請求項１から請求項６のうちのいずれか１項記載の情報処理システム。
【請求項８】
所定の条件に従って、ユーザインタフェースにおける入力の受付状態を無効状態および有効状態の一方から他方へ切り替える端末装置において、
ユーザインタフェースと、
前記ユーザインタフェースにおける入力の受付状態を無効状態および有効状態の一方から他方へ切り替えるロック処理部と、
携帯電子機器との間で無線通信が可能なエリアに入った場合に自動的に無線で前記携帯電子機器と接続する無線インタフェースと、
前記無線インタフェースにより前記携帯電子機器と接続しているか否かを判定する監視処理部とを備え、
前記ロック処理部は、前記携帯電子機器と接続している状態から前記携帯電子機器と接続していない状態へ切り替わった場合に、前記受付状態を無効状態へ自動的に切り替え、前記携帯電子機器と接続していない状態から前記携帯電子機器と接続している状態へ切り替わった場合に、ユーザ固有情報を取得するためにのみ前記受付状態を無効状態から有効状態に一時的に切り替え、前記ユーザインタフェースから入力されたユーザ固有情報が所定のユーザのものである場合のみ、前記受付状態を無効状態から有効状態へ切り替えること、
を特徴とする端末装置。
【請求項９】
所定の条件に従って、端末装置のユーザインタフェースにおける入力の受付状態を無効状態および有効状態の一方から他方へ切り替えるユーザインタフェースロック方法において、
無線インタフェースにより携帯電子機器と接続しているか否かを判定するステップと、
前記携帯電子機器と接続している状態から前記携帯電子機器と接続していない状態へ切り替わった場合に、前記受付状態を無効状態へ自動的に切り替えるステップと、
前記携帯電子機器と接続していない状態から前記携帯電子機器と接続している状態へ切り替わった場合に、ユーザ固有情報を取得するためにのみ前記受付状態を無効状態から有効状態に一時的に切り替え、前記ユーザインタフェースから入力されたユーザ固有情報が所定のユーザのものである場合のみ、前記受付状態を無効状態から有効状態へ切り替えるステップと、
を備えることを特徴とするユーザインタフェースロック方法。
【発明の詳細な説明】
【技術分野】
【０００１】
本発明は、情報処理システム、端末装置およびユーザインタフェースロック方法に関するものである。
【背景技術】
【０００２】
無線装置を所持するユーザが端末装置に近づくと自動的にシステムにログインし、無線装置を所持するユーザが端末装置から離れると自動的にシステムからログアウトする技術が提案されている（例えば特許文献１参照）。この技術の場合、ログインの際には、ユーザのパスワード入力などは要求されない。
【０００３】
【特許文献１】特開２００６−３４３９６８号公報
【発明の開示】
【発明が解決しようとする課題】
【０００４】
上述の技術の場合、ユーザが端末装置から離れたり戻ったりする際のログイン／ログアウトのためのユーザによる操作が省けるとともにユーザが端末装置の側にいないときには端末装置がログイン状態で放置されずに済む。しかしながら、詐取、拾得などにより第三者が無線装置を取得した場合、端末装置を操作している者が正規ユーザであるか否かが確認されないため、第三者が正規ユーザになりすまして端末装置を利用することができてしまう。
【０００５】
本発明は、上記の問題に鑑みてなされたものであり、ユーザが端末装置の側にいないときには端末装置がログイン状態で放置されないようにするとともに、第三者が正規ユーザになりすまして端末装置を利用することを防止する情報処理システム、端末装置およびユーザインタフェースロック方法を得ることを目的とする。
【課題を解決するための手段】
【０００６】
上記の課題を解決するために、本発明では以下のようにした。
【０００７】
本発明に係る情報処理システムは、１または複数の端末装置と、１または複数の携帯電子機器とを備える。携帯電子機器は、端末装置との間で無線通信が可能なエリアに入った場合に自動的に無線で端末装置と接続する無線インタフェースを備える。端末装置は、ユーザインタフェースと、ユーザインタフェースにおける入力の受付状態を無効状態および有効状態の一方から他方へ切り替えるロック処理部と、携帯電子機器との間で無線通信が可能なエリアに入った場合に自動的に無線で携帯電子機器と接続する無線インタフェースと、無線インタフェースにより携帯電子機器と接続しているか否かを判定する監視処理部とを備える。そして、ロック処理部は、携帯電子機器と接続している状態から携帯電子機器と接続していない状態へ切り替わった場合に、受付状態を無効状態へ自動的に切り替え、携帯電子機器と接続していない状態から携帯電子機器と接続している状態へ切り替わった場合に、ユーザ固有情報を取得するためにのみ受付状態を無効状態から有効状態に一時的に切り替え、ユーザインタフェースから入力されたユーザ固有情報が所定のユーザのものである場合のみ、受付状態を無効状態から有効状態へ切り替える。
【０００８】
これにより、ユーザが携帯電子機器を所持することで、ユーザが端末装置の側にいないときには端末装置がログイン状態で放置されないようにするとともに、第三者が正規ユーザになりすまして端末装置を利用することを防止できる。
【０００９】
また、本発明に係る情報処理システムは、上記の情報処理システムに加え、次のようにしてもよい。この場合、端末装置は、携帯電子機器固有の識別情報を含む機器情報を格納するデータ格納部を備える。そして、ロック処理部は、携帯電子機器と接続していない状態から携帯電子機器と接続している状態へ切り替わった際に、携帯電子機器からその携帯電子機器固有の識別情報を読み出し、読み出した識別情報と機器情報におけるいずれかの識別情報とが一致する場合のみ、ユーザ固有情報を取得するためにのみ受付状態を無効状態から有効状態に一時的に切り替え、ユーザインタフェースから入力されたユーザ固有情報が所定のユーザのものである場合のみ、受付状態を無効状態から有効状態へ切り替える。
【００１０】
これにより、特定の携帯電子機器を所持しかつ正しいユーザ固有情報を提示したユーザのみがロックを解除することができる。
【００１１】
また、本発明に係る情報処理システムは、上記の情報処理システムに加え、次のようにしてもよい。この場合、端末装置は、受付状態を無効状態から有効状態へ切り替えた後、携帯電子機器固有の識別情報を更新し、携帯電子機器に書き込む識別情報更新部を備える。
【００１２】
これにより、携帯電子機器固有の識別情報が頻繁に更新されるため、第三者が識別情報を不正に取得してもロックを解除することが困難になる。
【００１３】
また、本発明に係る情報処理システムは、上記の情報処理システムのいずれかに加え、次のようにしてもよい。この場合、ロック処理部は、携帯電子機器と接続している状態において、または携帯電子機器と接続している状態から携帯電子機器と接続していない状態へ切り替わったときに、その携帯電子機器の識別情報を保存し、次に携帯電子機器と接続していない状態から携帯電子機器と接続している状態へ切り替わった際に、携帯電子機器からその携帯電子機器固有の識別情報を読み出し、読み出した識別情報と保存している機器情報とが一致する場合のみ、ユーザ固有情報を取得するためにのみ受付状態を無効状態から有効状態に一時的に切り替え、ユーザインタフェースから入力されたユーザ固有情報が所定のユーザのものである場合のみ、受付状態を無効状態から有効状態へ切り替える。
【００１４】
これにより、ユーザインタフェースがロックされる前に使用していたユーザのみがロックを解除することができる。したがって、端末装置に登録されている他のユーザであってもロックを解除することができない。
【００１５】
また、本発明に係る情報処理システムは、上記の情報処理システムのいずれかに加え、次のようにしてもよい。この場合、ロック処理部は、携帯電子機器と接続していない状態から携帯電子機器と接続している状態へ切り替わった場合に、接続した携帯電子機器の識別情報を特定し、ユーザ固有情報を取得するためにのみ受付状態を無効状態から有効状態に一時的に切り替え、ユーザインタフェースから入力されたユーザ固有情報が、特定した携帯電子機器の識別情報に関連付けられているユーザ固有情報に一致する場合にのみ、受付状態を無効状態から有効状態へ切り替える。
【００１６】
これにより、携帯電子機器に関連付けられているユーザのみがロックを解除することができる。
【００１７】
また、本発明に係る情報処理システムは、上記の情報処理システムのいずれかに加え、次のようにしてもよい。この場合、携帯電子機器は、複数の端末装置の識別情報を格納するデータ格納装置と、複数の端末装置の識別情報から１つの端末装置の識別情報を選択する選択処理部とを備える。そして、携帯電子機器の無線インタフェースは、選択された識別情報を有する端末装置と無線で接続する。
【００１８】
これにより、ユーザは１つの携帯電子機器を所持するだけで、複数の端末装置のいずれを利用しても、ロックの解除を行うことができる。
【００１９】
また、本発明に係る情報処理システムは、上記の情報処理システムのいずれかに加え、次のようにしてもよい。この場合、携帯電子機器の無線インタフェースおよび端末装置の無線インタフェースは、ブルートゥース（商標）とされる。
【００２０】
本発明に係る端末装置は、ユーザインタフェースと、ユーザインタフェースにおける入力の受付状態を無効状態および有効状態の一方から他方へ切り替えるロック処理部と、携帯電子機器との間で無線通信が可能なエリアに入った場合に自動的に無線で携帯電子機器と接続する無線インタフェースと、無線インタフェースにより携帯電子機器と接続しているか否かを判定する監視処理部とを備える。そして、ロック処理部は、携帯電子機器と接続している状態から携帯電子機器と接続していない状態へ切り替わった場合に、受付状態を無効状態へ自動的に切り替え、携帯電子機器と接続していない状態から携帯電子機器と接続している状態へ切り替わった場合に、ユーザ固有情報を取得するためにのみ受付状態を無効状態から有効状態に一時的に切り替え、ユーザインタフェースから入力されたユーザ固有情報が所定のユーザのものである場合のみ、受付状態を無効状態から有効状態へ切り替える。
【００２１】
これにより、ユーザが携帯電子機器を所持することで、ユーザが端末装置の側にいないときには端末装置がログイン状態で放置されないようにするとともに、第三者が正規ユーザになりすまして端末装置を利用することを防止できる。
【００２２】
本発明に係るユーザインタフェースロック方法は、無線インタフェースにより携帯電子機器と接続しているか否かを判定するステップと、携帯電子機器と接続している状態から携帯電子機器と接続していない状態へ切り替わった場合に、受付状態を無効状態へ自動的に切り替えるステップと、携帯電子機器と接続していない状態から携帯電子機器と接続している状態へ切り替わった場合に、ユーザ固有情報を取得するためにのみ受付状態を無効状態から有効状態に一時的に切り替え、ユーザインタフェースから入力されたユーザ固有情報が所定のユーザのものである場合のみ、受付状態を無効状態から有効状態へ切り替えるステップとを備える。
【００２３】
これにより、ユーザが携帯電子機器を所持することで、ユーザが端末装置の側にいないときには端末装置がログイン状態で放置されないようにするとともに、第三者が正規ユーザになりすまして端末装置を利用することを防止できる。
【発明の効果】
【００２４】
本発明によれば、ユーザが携帯電子機器を所持することで、ユーザが端末装置の側にいないときには端末装置がログイン状態で放置されないようにするとともに、第三者が正規ユーザになりすまして端末装置を利用することを防止する情報処理システム、端末装置およびユーザインタフェースロック方法を得ることができる。
【発明を実施するための最良の形態】
【００２５】
以下、図に基づいて本発明の実施の形態を説明する。
【００２６】
実施の形態１．
図１は、本発明の実施の形態１に係る情報処理システムの構成を示すブロック図である。図１に示すシステムは、１台の端末装置１と１または複数台の携帯電子機器２とを有する。図１に示すシステムでは、端末装置１におけるユーザインタフェースのロックおよびロック解除が、携帯電子機器２が端末装置１により検出されるか否かにより行われる。この端末装置１には、複数のユーザについてのユーザ情報が登録されており、複数のユーザのそれぞれがログインして端末装置１上（またはネットワークを介してサーバ上）のシステムを利用することができる。
【００２７】
図１において、端末装置１は、例えばパーソナルコンピュータなどであって、無線インタフェース１１、入力装置１２、表示装置１３、データ格納装置１４およびコンピュータ１５を備える。
【００２８】
無線インタフェース１１は、携帯電子機器２との間で無線通信が可能なエリアに入った場合に自動的に無線で携帯電子機器２と接続する通信回路である。無線インタフェース１１としては、この実施の形態１では、ブルートゥース（商標）の無線インタフェースが使用される。
【００２９】
入力装置１２は、ユーザの入力操作を検出し、その操作に応じた電気信号を出力する装置である。入力装置１２としては、例えばキーボード、マウスなどが使用される。表示装置１３は、各種情報を表示する装置である。表示装置１３としては、例えば液晶ディスプレイなどが使用される。なお、入力装置１２および表示装置１３によりユーザインタフェースが構成される。
【００３０】
データ格納装置１４は、ユーザ情報１４ａ、機器情報１４ｂ、図示せぬコンピュータプログラムなどを格納する装置である。データ格納装置１４は、データ格納部の一例である。データ格納装置１４としては、例えばハードディスクドライブなどが使用される。
【００３１】
ユーザ情報１４ａは、複数のユーザのユーザ固有情報をユーザＩＤに関連付けて含む。ユーザ固有情報は、パスワード、生体情報（指紋情報など）などである。この実施の形態１では、ユーザ固有情報としてパスワードが使用される。なお、ユーザ固有情報として生体情報が使用される場合には、それに応じて、ユーザからその生体情報を取得するための装置が入力装置１２に追加される。図２は、ユーザ情報１４ａの一例を示す図である。図２に示すように、ユーザ情報１４ａは、テーブル、データベースなどとして実現される。
【００３２】
機器情報１４ｂは、携帯電子機器２固有の識別情報（以下、機器ＩＤという）を、その携帯電子機器２の正規ユーザのユーザＩＤに関連付けて含む。図３は、機器情報１４ｂの一例を示す図である。図３に示すように、機器情報１４ｂは、テーブル、データベースなどとして実現される。
【００３３】
このようにユーザ情報１４ａおよび機器情報１４ｂにより、携帯電子機器２の機器ＩＤは、その携帯電子機器２を正規に所持するユーザのユーザ固有情報に関連付けられている。
【００３４】
コンピュータ１５は、図示せぬＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などにより構成され、そのＲＯＭ、データ格納装置１４などに格納されているコンピュータプログラムを実行して、各種処理部を実現する。このコンピュータ１５では、監視処理部１５ａ、ロック処理部１５ｂおよび識別情報更新部１５ｃが実現される。
【００３５】
監視処理部１５ａは、無線インタフェース１１により携帯電子機器２と接続しているか否かを常時判定する処理部である。
【００３６】
ロック処理部１５ｂは、所定の条件に応じて、ユーザインタフェースにおける入力の受付状態を無効状態および有効状態の一方から他方へ切り替える処理部である。ロック処理部１５ｂは、監視処理部１５ａの判定状態を参照し、（ａ）携帯電子機器２と接続している状態から携帯電子機器２と接続していない状態へ切り替わった場合に、受付状態を無効状態へ自動的に切り替え、（ｂ）携帯電子機器２と接続していない状態から携帯電子機器２と接続している状態へ切り替わった場合に、ユーザ固有情報を取得するためにのみ受付状態を無効状態から有効状態に一時的に切り替え、ユーザインタフェースから入力されたユーザ固有情報が所定のユーザのものである場合のみ、受付状態を無効状態から有効状態へ切り替える。
【００３７】
識別情報更新部１５ｃは、ユーザインタフェースの入力受付状態を無効状態から有効状態へ切り替えるたびに、その携帯電子機器２の機器ＩＤを新たに生成して更新し、機器情報１４ｂおよび携帯電子機器２に書き込む識別情報更新部を備える。機器ＩＤとしては、乱数、ハッシュ値などが使用される。なお、この実施の形態１では、機器情報１４ｂおよび携帯電子機器２が有する機器ＩＤは同一であるが、機器情報１４ｂが格納している機器ＩＤと携帯電子機器２が格納している機器ＩＤとを使用して所定の演算を行うことにより、携帯電子機器２を一意に特定することができれば、機器情報１４ｂおよび携帯電子機器２が有する機器ＩＤは同一でなくてもよい。例えば、携帯電子機器２には、所定のハッシュ関数または擬似乱数関数のシードを第１の機器ＩＤとして携帯電子機器２に格納しておき、そのシードについての上記ハッシュ関数または擬似乱数関数の値を第２の機器ＩＤとして端末装置１に格納しておき、携帯電子機器２から第１の機器ＩＤを取得し、その第１の機器ＩＤについての所定のハッシュ関数または擬似乱数関数の値と、端末装置１に格納されている第２の機器ＩＤとを比較するようにしてもよい。
【００３８】
また、携帯電子機器２は、例えば携帯電話機などであって、無線インタフェース２１、制御回路２２およびデータ格納装置２３を備える。携帯電子機器２は、正規ユーザが端末装置１を使用する際に携帯される。
【００３９】
無線インタフェース２１は、端末装置１との間で無線通信が可能なエリアに入った場合に自動的に無線で端末装置１と接続する通信回路である。無線インタフェース２１としては、この実施の形態１では、ブルートゥース（商標）の無線インタフェースが使用される。
【００４０】
制御回路２２は、各部を制御し、端末装置１からの要求に応じて、この携帯電子機器２の機器ＩＤである識別情報２３ａを、無線インタフェース２１を介して端末装置１へ送信する。
【００４１】
データ格納装置２３は、この携帯電子機器２の識別情報２３ａを格納する装置である。データ格納装置２３は、データ格納部の一例である。データ格納装置２３としては、例えばハードディスクドライブ、フラッシュメモリといった不揮発性メモリなどが使用される。
【００４２】
次に、上記システムにおける端末装置１の動作について説明する。図４は、実施の形態１における端末装置１の動作を説明するフローチャートである。
【００４３】
まず、無線インタフェース１１，２１としてブルートゥース（商標）が採用されている場合には、事前に端末装置１と携帯電子機器２とのペアリングが実行される。
【００４４】
そして、正規ユーザがその携帯電子機器２を所持した状態でその端末装置１を操作してシステムにログインすると、各処理部１５ａ，１５ｂ，１５ｃが動作可能な状態となる。そして、ロック処理部１５ｂは、インタフェースの入力受付状態の初期状態を有効状態に設定する（ステップＳ１）。これにより、インタフェースはロックされていない状態となるため、ユーザは、ユーザインタフェースを操作することにより自由に端末装置１を利用することができる。そして、監視処理部１５ａは、そのユーザの携帯電子機器２が無線インタフェース１１により検出されているか否かを常時判定して、携帯電子機器２の存在を監視する（ステップＳ２）。したがって、ユーザがそのまま端末装置１を操作していれば、ユーザが所持する携帯電子機器２は、端末装置１の近傍に存在するため、無線インタフェース１１により検出され続ける。
【００４５】
一方、ログインしている状態で、ユーザの離席などに起因して、その携帯電子機器２が無線インタフェース１１により検出されなくなると、ロック処理部１５ｂは、ユーザインタフェースの入力受付状態を有効状態から無効状態へ変更する（ステップＳ３）。これにより、インタフェースはロックされている状態となるため、ユーザが入力装置１２を操作しても、端末装置１はユーザの意図通りに反応しない。ロック状態では、例えば、表示装置１３の画面が、ユーザ使用時の画面からロック状態である旨を示す画面に切り替えられる。このとき、ロック処理部１５ｂは、その携帯電子機器２の機器ＩＤを図示せぬＲＡＭなどに保存しておく。
【００４６】
その後、監視処理部１５ａは、携帯電子機器２が無線インタフェース１１により検出されているか否かを常時判定して、携帯電子機器２の不存在を監視する（ステップＳ４）。したがって、例えばユーザが離席後に端末装置１へ戻ってこなければ、ユーザが所持する携帯電子機器２は、端末装置１の近傍に存在しないため、継続的に無線インタフェース１１により検出されない。ロック処理部１５ｂは、監視処理部１５ａにより携帯電子機器２が検出されていなければ、そのまま、ユーザインタフェースの入力受付状態を無効状態のままとする。
【００４７】
ロック状態のときに、ロック処理部１５ｂは、いずれかの携帯電子機器２が検出されると、その携帯電子機器２へ機器ＩＤの送信要求を送信し、その携帯電子機器２から機器ＩＤを取得する。そして、ロック処理部１５ｂは、取得した機器ＩＤと保存している機器ＩＤとが一致する場合には、ロック状態へ移行する前にこの端末装置１と接続していた携帯電子機器２が再び検出されたと判断する。
【００４８】
ロック状態のときにそのような携帯電子機器２が検出されると、ロック処理部１５ｂは、表示装置１３の画面をロック解除画面に切り替える（ステップＳ５）。ロック解除画面にはパスワード入力フィールドが存在する。ロック処理部１５ｂは、そのパスワードの入力のためにだけインタフェースの入力受付状態が一時的に有効とする。そして、ロック処理部１５ｂは、入力装置１１の操作によりパスワードが入力されると、そのパスワードを取得する（ステップＳ６）。次に、ロック処理部１５ｂは、ユーザ情報１４ａおよび機器情報１４ｂに基づいて、そのパスワードが、その携帯電子機器２の機器ＩＤに関連付けられているパスワードに一致するか否かを判定する。ロック処理部１５ｂは、その判定結果に基づいて、ユーザインタフェースの入力受付状態を無効状態から有効状態へ移行させるか否かを判定する（ステップＳ７）。
【００４９】
ロック処理部１５ｂは、パスワードが一致する場合には、入力受付状態を無効状態から有効状態へ移行させる。これにより、インタフェースは、ロック解除状態（ステップＳ１）に戻り、表示装置１３の画面は、ロック状態へ移行したときの画面に戻る。したがって、ユーザは、ロック状態を解除すれば、離席時にしていた作業を直ちに再開できる。一方、ロック処理部１５ｂは、パスワードが一致しない場合には、入力受付状態を無効状態のままとし（ステップＳ３）、まだ、その携帯電子機器２が検出されていれば、再度、ロック解除画面を表示させ（ステップＳ５）、パスワードの入力後（ステップＳ６）、ロック状態を解除するか否かを再度判定する（ステップＳ７）。
【００５０】
なお、ロック解除画面の表示中に、携帯電子機器２が検出されなくなった場合には、表示装置１３の画面は、ロック解除画面からロック状態の画面に切り替えられ、ロック状態（ステップＳ３，Ｓ４）が継続される。
【００５１】
このように、インタフェースの入力受付状態は、所定の条件に従ってロック状態とロック解除状態との間を移行する。
【００５２】
以上のように、上記実施の形態１によれば、ロック処理部１５ｂは、携帯電子機器２と接続している状態から携帯電子機器２と接続していない状態へ切り替わった場合に、入力受付状態を無効状態へ自動的に切り替え、携帯電子機器２と接続していない状態から携帯電子機器２と接続している状態へ切り替わった場合に、パスワードを取得するためにのみ入力受付状態を無効状態から有効状態に一時的に切り替え、ユーザインタフェースから入力されたパスワードが所定のユーザのものである場合のみ、ユーザインタフェースの入力受付状態を無効状態から有効状態へ切り替える。
【００５３】
これにより、ユーザが端末装置の側にいないときには端末装置がログイン状態で放置されないようにするとともに、第三者が正規ユーザになりすまして端末装置を利用することを防止できる。
【００５４】
また、上記実施の形態１によれば、ロック処理部１５ｂは、携帯電子機器２と接続していない状態から携帯電子機器２と接続している状態へ切り替わった際に、携帯電子機器２から機器ＩＤを読み出し、読み出した機器ＩＤと機器情報１４ｂにおけるいずれかの識別情報とが一致する場合のみ、パスワード解除画面を表示させる。
【００５５】
これにより、特定の携帯電子機器を所持しかつ正しいパスワードを提示したユーザのみがロックを解除することができる。
【００５６】
また、上記実施の形態１によれば、識別情報更新部１５ｃは、インタフェースの入力受付状態を無効状態から有効状態へ切り替えた後に、携帯電子機器２の機器ＩＤを更新し、その携帯電子機器２に書き込む。
【００５７】
これにより、携帯電子機器２の機器ＩＤが頻繁に更新されるため、第三者が識別情報を不正に取得したり携帯電子機器２を偽造したりしてもロックを解除することが困難になる。
【００５８】
また、上記実施の形態１によれば、ロック処理部１５ｂは、携帯電子機器２と接続している状態において、または携帯電子機器２と接続している状態から携帯電子機器２と接続していない状態へ切り替わったときに、その携帯電子機器２の機器ＩＤを保存し、次に携帯電子機器２と接続していない状態から携帯電子機器２と接続している状態へ切り替わった際に、携帯電子機器２から機器ＩＤを読み出し、読み出した機器ＩＤと保存している機器ＩＤとが一致する場合のみ、ロック解除画面を表示させる。
【００５９】
これにより、インタフェースがロックされる前に使用していたユーザのみがロックを解除することができる。したがって、端末装置に登録されている他のユーザであってもロックを解除することができない。
【００６０】
また、上記実施の形態１によれば、ロック処理部１５ｂは、携帯電子機器２と接続していない状態から携帯電子機器２と接続している状態へ切り替わった場合に、接続した携帯電子機器２の機器ＩＤを特定し、パスワードを取得するためにのみ入力受付状態を無効状態から有効状態に一時的に切り替え、ユーザインタフェースから入力されたパスワードが、特定したその携帯電子機器２の機器ＩＤに関連付けられているパスワードに一致する場合にのみ、ユーザインタフェースの入力受付状態を無効状態から有効状態へ切り替える。
【００６１】
これにより、携帯電子機器に関連付けられているユーザのみがロックを解除することができる。
【００６２】
実施の形態２．
本発明の実施の形態２に係る情報処理システムでは、携帯電子機器が接続する端末装置１を選択可能とされる。
【００６３】
図５は、本発明の実施の形態２に係る情報処理システムの構成を示すブロック図である。図５に示すシステムは、１または複数台の端末装置１と１または複数台の携帯電子機器２Ａとを有する。図５において、携帯電子機器２Ａは、例えば携帯電話機などであって、無線インタフェース２１、データ格納装置２３、入力装置４１、表示装置４２および処理部４３を備える。
【００６４】
無線インタフェース２１およびデータ格納装置２３は、実施の形態１と同様のものである。ただし、データ格納装置２３は、識別情報テーブル２３ｂを格納している。
【００６５】
入力装置４１は、ユーザの入力操作を検出し、その操作に応じた電気信号を出力する装置である。入力装置４１としては、例えばキー、タッチパネルなどが使用される。表示装置４２は、各種情報を表示する装置である。表示装置４２としては、例えば液晶ディスプレイなどが使用される。なお、入力装置４１および表示装置４２によりユーザインタフェースが構成される。
【００６６】
処理部４３は、各部を制御し、端末装置１からの要求に応じて、識別情報テーブル２３ｂにおける１または複数の機器ＩＤから選択された１つの機器ＩＤを、無線インタフェース２１を介して端末装置１へ送信する。また、処理部４３は、識別情報テーブル２３ｂにおける１または複数の機器ＩＤから１つの機器ＩＤを選択する選択処理を行う。なお、処理部４３は、例えば、コンピュータがプログラムを実行することにより実現される。
【００６７】
図６は、実施の形態２における携帯電子機器の識別情報テーブル２３ｂの一例を示す図である。図６に示すように、識別情報テーブル２３ｂでは、端末装置１の識別情報（端末装置ＩＤ）に関連付けられてこの機器２の機器ＩＤが登録されている。例えばブルートゥース（商標）などのように１対１の通信方式の場合であって、その通信方式で割り当てられるＩＤを機器ＩＤとして使用する場合、機器ＩＤが端末装置１ごとに設定されるため、図６に示すように、１つの機器２に、複数の機器ＩＤが設定される。
【００６８】
次に、上記システムにおける携帯電子機器２Ａの動作について説明する。
【００６９】
携帯電子機器２Ａの処理部４３は、入力装置４１に対して所定の操作がなされると、識別情報テーブル２３から端末装置ＩＤを読み出し、そのリストを選択可能な状態で表示装置４２に表示させる。処理部４３は、入力装置４１に対するユーザの選択操作に従って、そのリストから１つの端末装置ＩＤを特定し、その特定した端末装置ＩＤに関連付けられている機器ＩＤを特定する。
【００７０】
そして、処理部４３は、端末装置１から機器ＩＤの送信要求を、無線インタフェース２１を介して受信すると、その特定した機器ＩＤをその端末装置１へ送信する。
【００７１】
なお、実施の形態２における端末装置１の構成および動作は、実施の形態１の場合と同様であるので、その説明を省略する。
【００７２】
以上のように、上記実施の形態２によれば、処理部４３は、複数の端末装置１の端末装置ＩＤから１つの端末装置ＩＤを選択し、その端末装置ＩＤに関連付けられている機器ＩＤを使用して、その端末装置１と接続する。
【００７３】
これにより、ユーザは、１つの携帯電子機器２を所持するだけで、複数の端末装置１のいずれを利用しても、ロックの解除を行うことができる。
【００７４】
なお、上述の各実施の形態は、本発明の好適な例であるが、本発明は、これらに限定されるものではなく、本発明の要旨を逸脱しない範囲において、種々の変形、変更が可能である。
【００７５】
例えば、上記各実施の形態において、携帯電子機器２の機器ＩＤとしては、無線インタフェース２１で使用されるＩＤを使用してもよいし、それとは別にＩＤを設定し、ネットワークの上位層でそのＩＤを機器ＩＤとして送受するようにしてもよい。
【００７６】
また、上記各実施の形態においては、正規ユーザがその携帯電子機器２を所持した状態でその端末装置１を操作してシステムにログインすると、各処理部１５ａ，１５ｂ，１５ｃが動作可能な状態となるが、その代わりに、正規ユーザがその携帯電子機器２を所持した状態でその端末装置１を操作してシステムにログインすると、ただちに、ユーザインタフェースをロック状態（ステップＳ３，Ｓ４）に移行し、ロック解除画面（ステップＳ５）を表示するようにしてもよい。この場合、ロック解除画面で正規のパスワードが入力され、ロック状態が解除されると、ロック解除状態（ステップＳ１）へ移行する。なお、そのユーザのユーザ固有情報またはユーザＩＤと、システム（オペレーティングシステムなど）へのログインに使用されるユーザＩＤおよびユーザ固有情報（パスワードなど）とを予め関連付けておき、ロック状態が解除されると、ロック解除画面で入力されたユーザ固有情報からシステム用のユーザＩＤおよびパスワードを特定し、そのユーザＩＤおよびパスワードを使用して自動的にシステムにログインするようにしてもよい。ロック解除画面で入力されたユーザ固有情報とシステム用のユーザ固有情報は、同一であってもよいし、異なっていてもよい。
【００７７】
また、上記実施の形態２において、機器ＩＤの選択処理は、端末装置１からの送信要求が受信されたときに開始するようにしてもよい。
【００７８】
また、上記各実施の形態において、端末装置１の無線インタフェース１１が複数の携帯電子機器２の無線インタフェース２１と接続した場合、ロック処理部１５ｂは、ユーザインタフェースから入力されたユーザ固有情報が、複数の携帯電子機器２の機器ＩＤに関連付けられている複数のユーザ固有情報のいずれかに一致すれば、ユーザインタフェースの入力受付状態を無効状態から有効状態に切り替えるようにしてもよい。また、端末装置１の無線インタフェース１１と接続している携帯電子機器２の無線インタフェース２１が増減した場合、ロック処理部１５ｂは、ユーザインタフェースから入力されたユーザ固有情報が、その時点で接続中の１または複数の携帯電子機器２の機器ＩＤに関連付けられている複数のユーザ固有情報のいずれかに一致すれば、ユーザインタフェースの入力受付状態を無効状態から有効状態に切り替える。これにより、既に端末装置１の近辺に携帯電子機器２を所持したユーザが存在している状態で、その端末装置１を使用していたユーザが端末装置１へ戻ってきた場合でも、その端末装置１を使用していたユーザは、ロックを解除することができる。
【００７９】
また、上記各実施の形態においては、端末装置１としてパーソナルコンピュータを、携帯電子機器２として携帯電話機を一例として挙げているが、他の機器を使用してもよい。例えば端末装置１として、キオスク端末、サーバへ接続しているクライアント端末などとしてもよい。また、携帯電子機器２としては、ＰＤＡ（Ｐｅｒｓｏｎａｌ  Ｄｉｇｉｔａｌ  Ａｓｓｉｓｔａｎｔ）、ＩＣタグなどを使用してもよい。
【産業上の利用可能性】
【００８０】
本発明は、例えば、オフィスなどの複数の端末装置を複数のユーザで使用するシステムにおける、ユーザの一時的不在時のスクリーンロックに適用可能である。
【図面の簡単な説明】
【００８１】
【図１】本発明の実施の形態１に係る情報処理システムの構成を示すブロック図である。
【図２】実施の形態１における端末装置に格納されているユーザ情報の一例を示す図である。
【図３】実施の形態１における端末装置に格納されている機器情報の一例を示す図である。
【図４】実施の形態１における端末装置の動作を説明するフローチャートである。
【図５】本発明の実施の形態２に係る情報処理システムの構成を示すブロック図である。
【図６】実施の形態２における携帯電子機器の識別情報テーブルの一例を示す図である。
【符号の説明】
【００８２】
１  端末装置
２  携帯電子機器
１１，２１  無線インタフェース
１２  入力装置（ユーザインタフェースの一部）
１３  表示装置（ユーザインタフェースの一部）
１４  データ格納部
１４ａ  ユーザ情報
１４ｂ  機器情報
１５ａ  監視処理部
１５ｂ  ロック処理部
１５ｃ  識別情報更新部
【図１】
2009230161.tif 000003
【図２】
2009230161.tif 000004
【図３】
2009230161.tif 000005
【図４】
2009230161.tif 000006
【図５】
2009230161.tif 000007
【図６】
2009230161.tif 000008